(57)【要約】      （修正有）【課題】電子機器の小型化を図る。【解決手段】電池が当接する当接部２０ｂを有し、電池収納室内において該電池の収納方向および排出方向に移動可能な可動部材２０と、可動部材を排出方向に付勢する付勢部材２１とを有し、付勢部材は、可動部材の当接部よりも排出方向の側に配置されている。【効果】従来のように排出バネの収納スペースを確保する場合に比べて、電池収納室の収納方向における大きさを小型化することができる。【選択図】図４
2005222896.tif 000002
【特許請求の範囲】
【請求項１】
電池収納室を有する電子機器であって、
電池が当接する当接部を有し、前記電池収納室内において該電池の収納方向および排出方向に移動可能な可動部材と、
該可動部材を前記排出方向に付勢する付勢部材とを有し、
前記付勢部材は、前記可動部材の前記当接部よりも排出方向の側に配置されていることを特徴とする電子機器。
【請求項２】
前記付勢部材は、前記収納および排出方向に沿うように配置されていることを特徴とする請求項１に記載の電子機器。
【請求項３】
前記可動部材を、前記電池が収納状態となる位置にて保持するロック部材を有することを特徴とする請求項１又は２に記載の電子機器。
【請求項４】
電池収納室を有する電子機器であって、
電池を前記電池収納室からの排出方向に付勢する付勢部材と、
前記電池収納室に収納された前記電池の前記排出方向への移動を阻止するロック位置と該移動阻止を解除するロック解除位置とに移動可能なロック部材とを有し、
前記ロック部材は、前記ロック位置において、前記電池における収納方向の中間位置に設けられた面に係合することを特徴とする電子機器。
【請求項５】
記録媒体を収納する記録媒体収納室を有し、
該記録媒体収納室が前記電池収納室と隣り合って配置されていることを特徴とする請求項１から４のいずれか１つに記載の電子機器。
【請求項６】
前記電池収納室の収納口を開閉可能な蓋部材を有し、
前記蓋部材は、前記記録媒体収納室の収納口を開閉可能であることを特徴とする請求項５に記載の電子機器。
【請求項７】
前記蓋部材の開閉状態を検出するための検出手段と、
該検出手段の出力に基づいて前記蓋部材が開き状態にあるときと判断したときに、前記記録媒体収納室内に収納された前記記録媒体との通信を禁止する制御手段とを有することを特徴とする請求項６に記載の電子機器。
【請求項８】
前記記録媒体収納室内に収納された前記記録媒体を排出させるために操作される操作部材を有し、
前記操作部材が、前記ロック部材と隣り合って配置されていることを特徴とする請求項５から７のいずれか１つに記載の電子機器。
【請求項９】
前記ロック部材が前記電池と略同一の外観色を有し、前記操作部材が前記記録媒体と略同一の外観色であって、前記ロック部材の外観色と異なる外観色を有することを特徴とする請求項８に記載の電子機器。
【請求項１０】
前記電池とは異なる他の電池を収納する第２の電池収納室を有し、
前記第２の電池収納室が、前記電池収納室と隣り合って配置されていることを特徴とする請求項１から５のいずれか１つに記載の電子機器。
【請求項１１】
前記電池収納室の収納口を開閉可能な蓋部材を有し、
前記蓋部材は、前記第２の電池収納室の収納口を開閉可能であることを特徴とする請求項１０に記載の電子機器。
【請求項１２】
前記蓋部材が、該電子機器の側面に設けられていることを特徴とする請求項６又は１１に記載の電子機器。
【請求項１３】
前記蓋部材が、該電子機器を保持する部分に設けられ、この表面が曲面となるように形成されていることを特徴とする請求項１２に記載の電子機器。
【発明の詳細な説明】
【技術分野】
【０００１】
本発明は、電池を収納可能な電池収納室を有する電子機器に関するものである。
【背景技術】
【０００２】
図９および図１０に従来のカメラの構成を示す。図９において、カメラ正面から見てレンズ鏡筒３２の左側には、右手で保持しやすいように保持部３３が設けられ、上面には右手人差し指で操作できるようにシャッタボタン３４が設けられている。図１０において、カメラ本体３１の背面には操作ボタン３５、左側面にはスピーカ４０や端子４１が設けられている。
【０００３】
カメラ本体３１の下面には電池蓋３６が回動可能に取り付けられ、カメラ本体３１の側面３７にはメモリカード蓋３７が回動可能に取り付けられている。電池蓋３６を回動させると、電池３８を収納するための電池収納室の開口部を開閉させることができ、電池収納室に対して電池３８を矢印Ｙ方向で出し入れすることができる。
【０００４】
また、メモリカード蓋３７を回動させると、メモリカード３９（記録媒体）を収納するためのメモリカード収納室の開口部を開閉させることができ、メモリカード収納室に対してメモリカード３９を矢印Ｘ方向で出し入れすることができる。なお、ボタン電池５０は、電池ホルダ５０に乗せた状態で上記電池収納室内に収納させることができる。
【０００５】
次に、電池収納室の構造について図１１を用いて説明する。電池収納室４２には電池３８の端子と接触する電池接片（不図示）や、排出バネ４３等が設けられている。排出バネ４３は、電池収納室４２内に収納された電池３８を排出方向（図１１の矢印Ｙ１方向）に付勢する。電池３８を電池収納室４２内に収納して電池蓋３６を閉じると、電池蓋３６の閉じ状態が検出スイッチ４４で検出される。このとき、電池ロック部材４５が電池３８の端面に当接することで、電池３８を収納状態に保持する。
【０００６】
次に、メモリカード収納室の構造について説明する。図１０において、メモリカード収納室の開口部には排出ボタン４７が設けられており、該排出ボタン４７を操作することで、メモリカード収納室内に収納されたメモリカード３９を排出させることができる。また、メモリカード３９を収納した状態でメモリカード蓋３７を閉じると、検出スイッチ４８において閉じ状態が検出されるようになっている。
【非特許文献１】「Canon PowerShot G1 製品カタログ」キヤノン株式会社、２０００年、６頁
【発明の開示】
【発明が解決しようとする課題】
【０００７】
上述した従来の電池収納室の構造では、図１１に示すように電池収納室４２の底面に排出バネ４３を設けている。このため、電池収納室４２内に電池３８を収納させると排出バネ４３が収納方向で縮むが、縮んだ状態にある排出バネ４３の収納スペースを確保するために、電池収納室４２に溝部４２ａを形成しなければならない。
【０００８】
このように電池収納室４２に溝部４２ａを形成した場合には、電池収納室としてのスペースが溝部４２ａの分（溝部４２ａの深さＸ２）だけ電池収納方向で大きくなってしまう。
【０００９】
一方、電池蓋３６の裏面には、電池蓋３６を閉じたときに電池ロック部材４５との衝突を避けるために、溝部３６ａが形成されている。この場合には、電池蓋３６の厚みを溝部３６ａが形成できる程度の厚みとしなければならない。すなわち、電池蓋３６の厚みを溝部３６ａの深さＸ１よりも厚くしなければならない。
【００１０】
上述したように電池収納室が大きくなったり、電池蓋３６の厚みが厚くなったりすると、カメラの大きさも大きくなってしまう。
【００１１】
本発明は、電池収納室のうち主に電池収納方向におけるスペースの小型化を図ることで、機器本体の小型化を図ることが可能な電子機器を提供することを目的とする。
【課題を解決するための手段】
【００１２】
本発明は、電池収納室を有する電子機器であって、電池が当接する当接部を有し、電池収納室内において該電池の収納方向および排出方向に移動可能な可動部材と、該可動部材を排出方向に付勢する付勢部材とを有し、付勢部材は、可動部材の当接部よりも排出方向の側に配置されていることを特徴とする。
【発明の効果】
【００１３】
本発明によれば、電池収納室の大きさを抑えることで電子機器の小型化を図ることができる。
【発明を実施するための最良の形態】
【００１４】
以下、本発明の実施例について説明する。
【実施例１】
【００１５】
図１に、本発明の実施例１であるカメラ（電子機器）の外観斜視図を示す。１はカメラ本体であり、この内部には撮影を可能とするための各種の部材、例えば、後述する撮影レンズによって形成された光学像を光電変換する撮像素子や、該撮像素子の前面に位置するローパスフィルタ等が配置されている。
【００１６】
２は撮影レンズを保持するレンズ鏡筒であり、３は使用者によって保持されるグリップ部である。４はシャッタボタンであり、半押し操作で撮影準備動作（測光動作および焦点調節動作等）が開始され、全押し操作で撮影動作が開始される。
【００１７】
５はカメラ本体１の上面に配置された操作ボタンであり、６はカメラ本体１の背面に配置された操作ボタンである。これらの操作ボタン５、６は、撮影条件等を設定するために操作される。
【００１８】
７は電池蓋であり、後述するようにカメラ本体１内に設けられた電池収納室の開口部を開閉する。電池蓋７の表面は曲面となっており、カメラ横方向における断面において曲率を有している。そして、電池蓋７の表面は、グリップ部３の表面と連続した面となるように形成されている。
【００１９】
電池蓋７の表面を上述したように形成することで、カメラ本体１の外観を見栄えの良いものとすることができるとともに、カメラ本体１を保持しやすくすることができる。しかも、操作ボタン５、６をカメラ本体１のグリップ部３側に設けることで、カメラの操作性を向上させることができる。
【００２０】
電池蓋７を矢印Ａ方向にスライドさせてから、カメラ本体１の外側に突出するように電池蓋７を回動させることにより、電池収納室の開口部を開くことができる。これにより、電池収納室内に電池を収納することが可能となる。
【００２１】
ここで、従来のカメラでは、図１０に示すようにカメラの下面に電池蓋が設けられているため、カメラの下面に三脚が取り付けられている場合には、三脚を一旦外さないと電池蓋を開いて電池の出し入れを行うことができなかった。しかし、本実施例では、電池蓋７をカメラ本体１の側面側に設けているため、カメラ本体１の下面に三脚を取り付けた状態でも電池蓋７を開閉させることができ、電池の有無の確認や電池の出し入れを容易に行うことができる。
【００２２】
次に、図２から図８を用いて主に電池収納室の構造について説明する。
【００２３】
図２において、１１は電池（バッテリパック）８を収納する電池収納室、１２はメモリカード９を収納するメモリカード収納室（記録媒体収納室）、１３は第二電池１０を収納する第二電池収納室である。ここで、電池収納室１１およびメモリカード収納室１２は、厚さ２ミリ程度の板状部材を挟んで隣り合うように配置されている。また、電池収納室１１に対してカメラ上方には、第二電池収納室１３が設けられている。
【００２４】
なお、第二電池１０は、電池８が電池収納室１１から外された場合でも、カメラ本体１に搭載された時計機能や各種設定のバックアップ機能を維持させるために用いられる。
【００２５】
上述したように電池収納室１１、メモリカード収納室１２および第二電池収納室１３を１箇所にまとめて配置することにより、カメラ本体１内のスペースを効率良く利用することが可能となる。また、１つの部材である電池蓋７によって、すべての収納室１１、１２、１３の開口部を覆うことができるため、収納室毎に蓋部材を設ける場合に比べて部品点数を減らしてコストアップを抑制することができる。しかも、複数の蓋部材を異なる位置に設ける場合に比べて、蓋部材の位置を確認し易くすることができる。
【００２６】
さらに、電池収納室１１と同様にメモリカード収納室１２や第二電池収納室１３の開口部もカメラ本体１の側面となるため、上述したようにカメラ本体１の底面に三脚を取り付けた状態で、メモリカード９や第二電池１０の出し入れを行うことができる。これにより、カメラを取り扱い易いものとすることができる。
【００２７】
第二電池１０は、第二電池ホルダ１４に乗せた状態で第二電池収納室１３内に収納される。ここで、第二電池ホルダ１４によって、電池収納室１１と第二電池収納室１３とを分けているだけであるため、電池収納室１１および第二電池収納室１３を分けるための部材を別に設ける場合に比べてカメラ本体１内のスペースを効率良く利用することができる。
【００２８】
電池収納室１１の側面には、電池８の端子と接触する端子１１ａが設けられており、電池８の収納状態において電池８からの電力をカメラ本体１内の各種電気部品に供給する。
【００２９】
１５はロック部材であり、電池８を電池収納室１１内に収納したときには、後述するように電池８等に当接して電池８を収納状態に保持する。また、ロック部材１５のボタン部１５ａを押し込むことで、電池収納室１１内から電池８を取り出すことができる。電池８の排出機構の詳細については後述する。
【００３０】
メモリカード収納室１２の開口部近傍には排出ボタン１６が設けられており、従来と同様に、排出ボタン１６を押し込むとメモリカード収納室１２内に収納されたメモリカード９を排出させることができる。
【００３１】
電池８を取り出すためのボタン部１５ａと、メモリカード９を取り出すための排出ボタン１６は、図２に示すように互いに隣り合って配置されており、しかも、収納室１１、１２に対してカメラ下側に設けられている。このようにボタン部１５ａおよび排出ボタン１６を並べて配置することで、これらボタンの位置を分かり易くするとともに、外観の見栄えを良くすることができる。
【００３２】
一方、ボタン部１５ａの色彩は、電池８の端面、すなわち、電池収納室１１内に収納された電池８のうちカメラ外側に露出する端面の色彩と概ね同一となっている。これにより、ボタン部１５ａおよび電池８を対応付けることができ、ボタン部１５ａが電池８を排出させるためのボタンであることを使用者に容易に分からせることができる。
【００３３】
また、排出ボタン１６の色彩は、メモリカード９の端面、すなわち、メモリカード収納室１２内に収納されたメモリカード９のうちカメラ外側に露出する端面の色彩と概ね同一となっている。これにより、排出ボタン１６およびメモリカード９を対応付けることができ、排出ボタン１６がメモリカード９を排出させるためのボタンであることを使用者に容易に分からせることができる。
【００３４】
ここで、ボタン部１５ａ（電池８）および排出ボタン１６（メモリカード９）の色彩を異ならせることで、使用者による各ボタンの判別を容易にさせることができる。すなわち、ボタン部１５ａおよび排出ボタン１６の各色彩を、各ボタンが互いに異なることを使用者に認識させる程度の色彩とすることができる。
【００３５】
１７は電池蓋７の開閉状態を検出するための検出スイッチである。電池蓋７が閉じ状態（図１に示す状態）にあるとき、検出スイッチ１７は、電池蓋７の角部７ａ（図２参照）と接触しており、カメラ本体１内に設けられた制御回路（不図示）は検出スイッチ１７からの信号に基づいて電池蓋７が閉じ状態にあることを判別する。
【００３６】
また、閉じ状態にある電池蓋７を図１中矢印Ａ方向にスライドさせると、検出スイッチ１７と電池蓋７の角部７ａとの接触が断たれ、上記制御回路は検出スイッチ１７からの信号に基づいて電池蓋７が開かれたことを検出する。
【００３７】
ここで、電池蓋７が完全に閉じていない場合、すなわち、検出スイッチ１７および角部７ａが接触していなかったり、該接触が不完全であったりする場合には、上記制御回路は電池蓋７が閉じ状態にないことを検出することで、メモリカード９との通信を遮断して、カメラを作動できないようにしている。これにより、メモリカード９との通信を正常に行わせることができ、カメラ側での誤作動を防止したり、メモリカード９内に記憶されたデータを保護したりすることができる。
【００３８】
また、電池蓋７はメモリカード９の蓋としても機能しているため、一つの検出スイッチ１７を設けるだけでよく、蓋毎に検出スイッチを設ける必要がない。これにより、部品点数を減らしてカメラの小型化および低コスト化を図ることができる。
【００３９】
一方、電池蓋７の表面は上述したように曲面（凸面）となっているが、電池蓋７の裏面も上記表面に沿うように形成され、曲面（凹面）となっている。すなわち、電池蓋７の厚みが略等しくなるように形成されている。
【００４０】
これにより電池蓋７の裏面を凹面とすることによって形成されたスペース内に、電池収納室１１およびメモリカード収納室１２の各開口部から突出するボタン部１５ａおよび排出ボタン１６を位置させることができる。すなわち、本実施例では、カメラ本体１を保持する部分（グリップ部３および電池蓋７を含む）の曲面を利用することで、電池蓋７と、ボタン部１５ａおよび排出ボタン１６との接触を避けるようにしている。
【００４１】
これにより、従来（図１１）のように電池蓋の裏面に電池ロック部材との当接を避けるための溝部を形成する必要がなくなり、電池蓋の厚みが厚くなるのを抑制することができる。
【００４２】
次に、電池収納室１１およびメモリカード収納室１２内の構造について説明する。図３はカメラ本体１のうちメインシャーシ１００およびレンズ鏡筒２の構造を示す外観斜視図である。
【００４３】
図３において、電池収納室１１およびメモリカード収納室１２となる空間部１００ａの奥側の端面には、円筒形状のレンズ鏡筒２が隣接して配置されている。すなわち、従来（図１１）のように排出バネを収納できるスペースは設けられていない。
【００４４】
図４に、電池収納室１１およびメモリカード収納室１２を構成する部材の分解斜視図を示す。
【００４５】
図４において、１８は樹脂材で形成された電池ケースで、カメラ上下方向における断面が略Ｌ字型となるように形成されている。１９は厚さ０．２ミリ程度のステンレス板で形成された電池ケースプレートであり、電池ケース１８に結合する。電池ケース１８および電池ケースプレート１９により電池収納室１１が構成される。
【００４６】
２４はメモリカード９が挿入されるカードスロットであり、メインシャーシ１００に固定される。ここで、電池ケース１８およびカードスロット２４により、メモリカード収納室１２が構成される。
【００４７】
２０は電池収納室１１内に配置されるスライド部材（可動部材）であり、電池ケース１８および電池ケースプレート１９に対してスライド可能に取り付けられる。スライド部材２０は、後述するように、電池８の収納方向において移動可能であって、電池８を収納する収納位置と電池８を排出する排出位置との間で移動する。
【００４８】
スライド部材２０の側縁部にはバネ溝部２０ａが形成されており、バネ溝部２０ａ内には付勢バネ２１（付勢部材）が収納される。付勢バネ２１は、この長手方向が電池８の収納方向又は排出方向となるように配置され、一端が電池ケースプレート１９に当接し、他端がバネ溝部２０ａの端面に当接している。これにより、付勢バネ２１は、スライド部材２０を排出位置の方向に常に付勢する。
【００４９】
また、スライド部材２０には、電池８の一端面と当接する電池当接部２０ｂが形成されている。電池８を電池収納室１１内に収納する場合、電池当接部２０ｂが電池８の一端面と当接し、電池８の電池収納室１１内への押し込みによってスライド部材２０が付勢バネ２１の付勢力に抗して収納位置まで移動することになる。
【００５０】
１５はロック部材であり、回転軸２２を介してメインシャーシ１００に取り付けられ、回転軸２２を中心に回転可能となっている。ロック部材１５は、後述するようにスライド部材２０と係合してスライド部材２０をロックするロック位置と、スライド部材２０のロックを解除する解除位置との間で回転可能となっている。
【００５１】
ここで、スライド部材２０には、ロック部材１５と係合するロック係合部２０ｃが設けられている。２３はロックバネで、ロック部材１５を上記ロック位置の方向に常時付勢している。
【００５２】
上述したように本実施例のカメラでは、付勢バネ２１がロック部材１５の側縁部に配置され、電池当接部２０ｂよりも電池収納室１１の開口部側に位置している。このため、電池収納室１１とレンズ鏡筒２との間には、厚さ０．２ミリ程度の電池ケースプレート１９と、厚さ1ミリ程度の電池当接部２０ｂだけが配置されている。これにより、従来（図１１）のように排出バネの収納スペースを確保する場合に比べて、電池収納室１１の電池収納方向における大きさを小さくすることができる。そして、電池収納室１１の小型化を図ることで、カメラの小型化を図ることができる。具体的には、カメラ横方向の小型化を図ることができる。
【００５３】
次に、上述した構成のカメラにおける電池８の収納動作および排出動作について説明する。
【００５４】
図５は、スライド部材２０が排出位置にあるときの図を示す。このとき、スライド部材２０のロック係合部２０ｃは、ロック部材１５の第１係合部１５ｄと係合している。ここで、スライド部材２０は、付勢バネ２１の付勢力を受けることで排出方向（図５の矢印Ｂ方向）に付勢されているため、排出位置で停止している。
【００５５】
図５に示す状態にあるスライド部材２０に電池８をセットして、電池８を収納方向（図５の矢印Ｃ方向）に押し込むと、スライド部材２０が付勢バネ２１の付勢力に抗して矢印Ｃ方向に移動することになる。そして、スライド部材２０の電池当接部２０ｂが、電池ケースプレート１９の端面１９ａに当接することで、スライド部材２０は収納位置で停止し、図６に示す状態となる。
【００５６】
図６に示す状態において、ロック部材１５は上述したようにロックバネ２３の付勢力により矢印Ｄ方向に付勢されているため、矢印Ｃ方向に回転することで第２係合部１５ｂがスライド部材２０のロック係合部２０ｃに係合して、図７に示す状態（ロック状態）となる。
【００５７】
図７に示す状態では、第２係合部１５ｂがロック係合部２０ｃに係合しているため、電池８を押し込んだ手を離しても、スライド部材２０は収納位置に停止したままとなる。これにより、電池８の電池収納室１１内への収納動作が終了する。
【００５８】
一方、ロック部材１５には、図８に示すように、電池８に形成された凹部８ａと係合する電池係合部１５ｃが設けられている。電池係合部１５ｃは、ロック部材１５がロック状態（図７に示す状態）にあるときに、電池８の凹部８ａと係合するようになっている。これにより、電池８が収納方向で移動してしまうのを抑制することができる。
【００５９】
したがって、電池８を電池収納室１１内に完全に収納した状態（図７に示す状態）では、電池蓋７を開けて電池収納室１１の開口部を地面側に向けても、電池８が電池収納室１１から飛び出すことはない。しかも、本実施例の構成では、電池８の側面に形成された凹部８ａを利用して電池８を収納位置に保持させているため、他の部材を用いて電池８を収納位置に保持させる場合に比べて、部品点数を削減でき、他の部品を設けることで電池収納室１１のスペースを大きくさせる必要もなくなる。
【００６０】
一方、図７に示す状態において、ロック部材１５をロックバネ２３に付勢力に抗して矢印Ｅ方向に回転させると、ロック部材１５の第２係合部１５ｂおよびスライド部材２０のロック係合部２０ｃの係合が解除される。これにより、スライド部材２０は、付勢バネ２１の付勢力を受けることで、矢印Ｂ方向にスライド移動して図５に示す状態となる。このとき、電池８は、スライド部材２０の電池当接部２０ｂによって排出位置の方向に押し込まれるため、電池収納室１１の開口部から排出されることになる。
【００６１】
なお、本実施例では、電池としてバッテリパックを用いた場合について説明したが、様々な種類の電池を用いることができる。例えば、単三電池を用いる場合には、スライド部材２０のうち電池当接面を単三電池の外形に沿った形状とすることで、単三電池をスライド部材２０に容易に乗せることができる。
【００６２】
また、本実施例ではスライド部材２０の一側縁部に付勢バネ２１を配置したが、スライド部材２０の両側縁部に付勢バネ２１を配置してもよい。さらに、スライド部材２０の底面側（電池８の当接面と対向する面）に付勢バネ２１を配置してもよい。このように付勢バネ２１を配置したとしても、電池収納室１１を電池収納方向において小型化することができる。
【００６３】
さらに、本実施例ではカメラについて説明したが、カメラ以外の電子機器にも適用することができる。
【図面の簡単な説明】
【００６４】
【図１】本発明の実施例１であるカメラの外観斜視図。
【図２】上記カメラにおける電池蓋を開いた状態を示す図。
【図３】上記カメラにおける一部の構造の外観斜視図。
【図４】上記カメラの電池収納室における分解斜視図。
【図５】排出位置にあるスライド部材の外観斜視図。
【図６】収納位置にあるスライド部材の外観斜視図。
【図７】ロック状態にあるスライド部材の外観斜視図。
【図８】ロック部材および電池の係合状態を示す図。
【図９】従来のカメラの正面図。
【図１０】従来のカメラの背面図。
【図１１】従来の電池収納室の構造を示す図。
【符号の説明】
【００６５】
１・・・カメラ本体              ２・・・レンズ鏡筒
３・・・グリップ部              ４・・・シャッタボタン
５・・・操作ボタン              ６・・・操作ボタン
７・・・電池蓋                  ８・・・電池
８ａ・・・凹部                  ９・・・メモリカード
１０・・・第二電池              １１・・・電池収納室
１２・・・メモリカード収納室    １３・・・第二電池収納室
１４・・・第二電池ホルダ        １５・・・ロック部材
１５ａ・・・ボタン部            １５ｂ・・・第２係合部
１５ｃ・・・電池係合部          １５ｃ・・・第１係合部
１６・・・排出ボタン            １７・・・検出スイッチ
１８・・・電池ケース            １９・・・電池ケースプレート
２０・・・スライド部材          ２０ａ・・・バネ溝部
２０ｂ・・・電池当接部          ２０ｃ・・・ロック係合部
２１・・・付勢バネ              ２２・・・回転軸
２３・・・ロックバネ
【図１】
2005222896.tif 000003
【図２】
2005222896.tif 000004
【図３】
2005222896.tif 000005
【図４】
2005222896.tif 000006
【図５】
2005222896.tif 000007
【図６】
2005222896.tif 000008
【図７】
2005222896.tif 000009
【図８】
2005222896.tif 000010
【図９】
2005222896.tif 000011
【図１０】
2005222896.tif 000012
【図１１】
2005222896.tif 000013